(57)【特許請求の範囲】
【請求項１】
液状の内容物を収容するビン体の口部内周に挿着されて該ビン体の内部に連通する筒状の挿着部と、該挿着部の先端部から上方に連設されて前記ビン体の内容物の注出を案内する筒状の注出部と、前記挿着部内に設けられてビン体の口部を閉塞する閉塞パネルと、該閉塞パネルに形成された破断可能な開口部と、前記挿着部の先端部から外方に連設されて前記ビン体の口部の上縁全周に当接する上縁当接部と、該上縁当接部の周縁から下方に連設されてビン体の口部外周に外挿される筒状の外挿部と、該外挿部の略下半部の内周面に突出し前記ビン体の口部外周に形成された環状溝に嵌合する突条とを備える合成樹脂製の中栓において、
前記外挿部の下端縁から上方に向かって延設されて該外挿部を上下方向に破断可能とする第１スコアと、
該第１スコアの上端に対応する位置を始端として外挿部の周方向に延設されて該第１スコアに連続して外挿部を周方向に破断可能とする第２スコアとを備え、
前記第１スコアは、該第１スコアの下端部を破断開始部として、該破断開始部の第１スコアの肉厚が他部の第１スコアの肉厚より大とされており、
前記第１スコアの破断開始部に隣接して一端が前記外挿部の下端部に連設され、該破断開始部をまたぐようにして外挿部の周方向に延びる把持片と、
該把持片の他端を前記外挿部に破断可能に連結する連結部とを備えることを特徴とする中栓。
【請求項２】
前記第１スコアは、前記外挿部の外面に形成されており、前記外挿部の前記第１スコアに対応する内面には、前記突条の一部を平坦とする平坦部が形成されていることを特徴とする請求項１記載の中栓。
【請求項３】
前記第２スコアは、その始端を前記外挿部の中心からの角度０°としたとき、その終端が１００°〜１８０°の範囲の何れかの位置まで延設されていることを特徴とする請求項１又は２記載の中栓。
【請求項４】
前記第２スコアは、前記上縁当接部の下面側に形成されていることを特徴とする請求項１乃至３の何れか１項記載の中栓。
【請求項５】
前記把持片は、前記外挿部の外周面に沿って把持可能な長さに延設されており、
前記外挿部の外周に沿って該外挿部を拡径する拡径部を設け、該拡径部の一部に、前記把持片を収容する把持片収容部を設けたことを特徴とする請求項１乃至４の何れか１項記載の中栓。
【発明の詳細な説明】
【０００１】
【発明の属する技術分野】
本発明は、ビン体の口部に装着され、ビン体を開口可能に閉塞すると共に、開口後にはビン体に収容された液状の内容物の注出を案内する合成樹脂製の中栓に関する。
【０００２】
【従来の技術】
ソースや醤油等を内容物とする容器として、ポリエチレンテレフタレート（以下ＰＥＴ）製のビン体が使用されており、このビン体の口部にはポリエチレン（以下ＰＥ）製の中栓が装着されている。この種の中栓は、ビン体の口部を閉塞すると共に一部を破断開口することによって内容物が注出可能となる注出口を備えている。該注出口は、内容物の注出量を小量調節できるようにビン体の口部より小径となっている。
【０００３】
ところで、近年、環境問題や省資源の観点から、使用済みになったビン体はリサイクル処理されている。このリサイクル処理においては、使用後ソース等の内容物がビン体内に付着したままであると、リサイクル処理に使用する裁断機等に錆が発生して該裁断機等の耐久性が低下するおそれがある。このため、リサイクル処理に先立ってビン体内に洗浄液を注入してビン体の内部の洗浄が行なわれる。
【０００４】
しかし、前述のように注出口はビン体の口部より小径であるため注出口からの洗浄液の注入が円滑に行なえない不都合がある。そのため、ビン体の口部から中栓を取り外してビン体の口部から洗浄液の注入を行なえるようにすることが考えられるが、この種の中栓はビン体の口部上方から打栓することにより圧入され、中栓に備える筒状の外挿部がビン体の口部の外壁に強固に外挿されているため、中栓の取外し作業に手間がかかっていた。
【０００５】
そこで、実用新案登録第２５５９２６６号公報や特開２０００−２１９２５９号公報に見られるように、中栓の外挿部を破断するためのスコアを設けて、外挿部の一部或いは全部を切り離すことでビン体の口部から中栓を容易に取り外すことができるものが知られている。
【０００６】
しかし、この種の中栓は、外挿部にスコアが設けられていることによって、ビン体の口部に装着する際の打栓による圧入時に該スコアが不用意に破断され、中栓が装着不良となる不都合がある。また、この種の中栓の前記外挿部には、スコアの破断開始位置の近傍に把持片が設けられており、該把持片を把持して中栓回りに引っ張ることにより外挿部が破断されるようになっているが、外挿部を破断している途中でビン体の口部から中栓全体が急激に外れ、中栓の内側に付着して残留した内容物が飛散して作業者の衣服等を汚染する不都合がある。
【０００７】
また、この種の中栓は金型による合成樹脂成形により製造されるが、前記スコアを設けることによって、外挿部の内面側に比較的多くの凹凸が形成され、脱型の際の抵抗が増加して円滑に脱型することができない不都合がある。
【０００８】
【発明が解決しようとする課題】
かかる不都合を解消して、本発明は、外挿部の不用意な破断を防止してビン体の口部への装着を強固に維持することができ、しかも、使用済みになったビン体から円滑に取り外すことができる成形容易な合成樹脂製の中栓を提供することを目的とする。
【０００９】
【課題を解決するための手段】
かかる目的を達成するために、本発明は、液状の内容物を収容するビン体の口部内周に挿着されて該ビン体の内部に連通する筒状の挿着部と、該挿着部の先端部から上方に連設されて前記ビン体の内容物の注出を案内する筒状の注出部と、前記挿着部内に設けられてビン体の口部を閉塞する閉塞パネルと、該閉塞パネルに形成された破断可能な開口部と、前記挿着部の先端部から外方に連設されて前記ビン体の口部の上縁全周に当接する上縁当接部と、該上縁当接部の周縁から下方に連設されてビン体の口部外周に外挿される筒状の外挿部と、該外挿部の略下半部の内周面に突出し前記ビン体の口部外周に形成された環状溝に嵌合する突条とを備える合成樹脂製の中栓において、前記外挿部の下端縁から上方に向かって延設されて該外挿部を上下方向に破断可能とする第１スコアと、該第１スコアの上端に対応する位置を始端として外挿部の周方向に延設されて該第１スコアに連続して外挿部を周方向に破断可能とする第２スコアとを備え、前記第１スコアは、該第１スコアの下端部を破断開始部として、該破断開始部の第１スコアの肉厚が他部の第１スコアの肉厚より大とされており、前記第１スコアの破断開始部に隣接して一端が前記外挿部の下端部に連設され、該破断開始部をまたぐようにして外挿部の周方向に延びる把持片と、該把持片の他端を前記外挿部に破断可能に連結する連結部とを備えることを特徴とする。
【００１０】
本発明の中栓は、閉塞パネルに形成された開口部を破断することにより、注出部を介して内容物を注出することができる。そして、リサイクル処理に先立ってビン体内を洗浄するときには、次のようにして中栓を取り外す。即ち、先ず、前記把持片を把持して中栓の外周方向に引っ張ると、第１スコアがその破断開始部から破断され、更に中栓回りに把持片を引っ張ることにより第２スコアを介して外挿部が破断される。これによって、該外挿部の内面に設けられた前記突条がビン体の口部の環状溝から離反して両者の嵌合が解除され、中栓を極めて容易に取り外すことができる。これにより、ビン体内の洗浄を円滑に行なうことができ、リサイクル処理を効率良く行なうことができる。
【００１１】
更に、本発明の中栓において、ビン体の口部への中栓の取り付けは、中栓をビン体の口部の上方から押圧する打栓作業によって行なわれる。このとき、中栓の前記外挿部はビン体の口部の外周に沿って僅かに伸長拡径された後、該外挿部の前記突条がビン体の口部の前記環状溝に弾発的に嵌合する。本発明によれば、前記破断開始部の肉厚が他部の第１スコアの肉厚より大であることによって、打栓時に前記外挿部が伸長拡径されても、第１スコアの破断開始部の不用意な破断が防止されてビン体の口部に強固に装着することができる。
【００１２】
また、本発明において前記第１スコアは、前記外挿部の外面に形成されており、前記外挿部の前記第１スコアに対応する内面には、前記突条の一部を平坦とする平坦部が形成されていることを特徴とする。前記第１スコアを外挿部の外面に設けることによって、外挿部の内面側の凹凸を少なくし、金型による成形時に金型からの脱型を円滑に行なうことができる。また、前記平坦部を設けることによって、外挿部の内面側に突出する突条の一部を平坦とし、金型による成形時に平坦部を介して金型からの脱型を円滑に行なうことができる。しかも、平坦部を外挿部の前記第１スコアに対応する位置に設けたことにより、第１スコアの破断開始部の肉厚を突条の突出量に影響されることなく設定することができ、第１スコアにおける破断開始部と他部との肉厚差を精度よく形成することができる。
【００１３】
また、本発明において、前記第２スコアは、その始端を前記外挿部の中心からの角度０°としたとき、その終端が１００°〜１８０°の範囲の何れかの位置まで延設されていることを特徴とする。即ち、前記第２スコアの終端が１００°よりも小さい位置にあって比較的短い場合には、前記第２スコアをその全長にわたって破断しても突条の環状溝への嵌合が十分に解除されず、中栓の取外しが困難となる。また、前記第２スコアの終端が１８０°よりも大きい位置にあって過剰に長い場合には、第２スコアの破断が１８０°を越えたところで、破断された外挿部に引っ張られて中栓がビン体の口部から急激に外れ、中栓の内面に付着する内容物が飛散して作業者の衣服等を汚染するおそれがある。
【００１４】
本発明によれば、第２スコアの長さを前記外挿部の中心からの角度における１００°〜１８０°の範囲内としたことにより、外挿部の破断作業時には中栓がビン体の口部に装着された状態が維持されて、しかも突条の環状溝への嵌合が十分に解除される。これによって、中栓に付着する内容物の飛散を防止してしかも中栓を容易に取り外すことができる。
【００１５】
また、本発明において、前記第２スコアは、前記上縁当接部の下面側に形成されていることを特徴とする。前記上縁当接部の下面側は、金型による成形時に金型からの脱型方向に向かって該金型に対向する。これによって、第２スコアは、金型による成形時に金型からの脱型方向に向かって形成されるので、脱型を円滑に行なうことができる。
【００１６】
また、本発明において、前記把持片は、前記外挿部の外周面に沿って把持可能な長さに延設されており、前記外挿部の外周に沿って該外挿部を拡径する拡径部を設け、該拡径部の一部に、前記把持片を収容する把持片収容部を設けたことを特徴とする。前記把持片は第１スコア及び第２スコアを破断する際の手がかりとして把持し易く円滑な破断作業が行なえる。その反面、前記把持片は破断開始部を破断する外挿部の外周面に沿って比較的広範囲にわたって露出するので、該把持片が外部に接触して第１スコアが不用意に破断されるおそれがある。そこで、本発明においては前記拡径部を設け、更に該拡径部に前記把持片収容部を設けることにより、前記把持片の外部への接触を防止することができ、不用意な第１スコアの破断を防止することができる。
【００１７】
【発明の実施の形態】
本発明の一実施形態を図面に基づいて説明する。図１は本実施形態の中栓の取り付け状態を示す説明的縦断面図、図２は本実施形態の中栓の平面図、図３は図２の中栓の側面図、図４は図２の中栓の一部の底面図、図５は第１スコアに沿って断面視した説明図、図６は外挿部の破断状態を示す説明図、図７は他の実施形態の中栓の平面図である。
【００１８】
本実施形態の中栓１は、図１に示すように、内部にソース等の内容物が収容されたＰＥＴ製のビン体２の口部３に装着される。該中栓１は、ポリエチレン等の合成樹脂を材料とする射出成形によって形成され、ビン体２の口部３上方からの打栓によってビン体２の口部３に装着される。なお、図中４はビン体２の口部３及び中栓１を覆うためにビン体２の胴部５に冠着されたオーバーキャップである。
【００１９】
中栓１の構成を更に詳しく説明すれば、図１に示すように、該中栓１は、ビン体２の口部３に挿着する円筒状の挿着部６と、該挿着部６の先端部外周から外方に張り出してビン体２の口部３の上縁全周に当接する上縁当接部７と、該上縁当接部７の外周縁から下方に連設されてビン体２の口部３の外周に外挿される円筒状の外挿部８とを備えている。
【００２０】
前記挿着部６の内方には、ビン体２の口部３を閉塞する閉塞パネル９が設けられており、該閉塞パネル９には、図２に示すように、大略楕円形状に破断可能とされる開口部１０が設けられている。該開口部１０には、図１及び図２に示すように、プルリング１１が連設されており、該プルリング１１を指等で引っ張ることにより該プルリング１１と共に閉塞パネル９の一部が切除され、開口部１０が開放される。また、図１に示すように、挿着部６の先端部には、前記ビン体２の内容物の注出を案内する円筒状の注出部１２が連設されている。
【００２１】
前記外挿部８は、図１に示すように、その内周面に突出する突条１３を備え、該突条１３が前記ビン体２の口部３に形成されている環状溝１４に嵌合することによって、中栓１がビン体２の口部３を強固に締め付けた状態で該口部３に挿着される。該外挿部８には、図３及び図５に示すように、外挿部８の下端縁から上方に向かって延びる第１スコア１５が形成されている。また、前記上縁当接部７の下面側には、該第１スコア１５の上端位置から前記上縁当接部７の周方向に沿って延びる第２スコア１６が形成されている。更に、第１スコア１５の下端部近傍の前記外挿部８の外側には第１スコア１５及び第２スコア１６を破断する際に把持して引っ張る把持片１７が設けられている。該把持片１７は、外挿部８の外周に沿って延設されており、その先端部は破断可能な連結部１８を介して外挿部８に連結されている。
【００２２】
前記第１スコア１５は、図５に示すように、下端部の所定距離が破断開始部１９とされ、該破断開始部１９の第１スコア１５の肉厚寸法ａが他部２０の第１スコア１５の肉厚寸法ｂより大とされている。これにより、中栓１をビン体２の口部３に打栓によって装着されるときに第１スコア１５の破断開始部１９の不用意な破断が防止される。更に、図４に示すように、第１スコア１５に対応する位置の外挿部８の内面には突条１３の一部を平坦とする平坦部２１が形成されている。該平坦部２１が形成されていることによって、中栓１の合成樹脂成形時に金型からの脱型を容易とすることができる。しかも、該平坦部２１によって、図５に示すように、第１スコア１５の破断開始部１９の肉厚寸法ａを突条１３の突出量に影響されることなく精度良く設定することができる。更に、前記第１スコア１５は、前記外挿部８の外面に形成されており、これによって外挿部８の内面側の凹凸が比較的少なくなり、金型からの脱型を円滑に行なうことができる。
【００２３】
また、前記第２スコア１６は、図２に示すように、その始端を前記外挿部８の中心からの角度０°としたとき、その終端が１８０°の位置まで延設されている。なお、第２スコア１６は、その終端が１００°〜１８０°の範囲の何れかの位置まで延設されていればよい。これによって、後述するように、外挿部８を第２スコア１６を介して破断したとき、中栓１のビン体２の口部３への装着状態が維持されつつも、中栓１を比較的小さな力で取り外すことができる状態となる。更に、前記第２スコア１６は、図１に示すように、前記上縁当接部７の下面側に設けられていることによって、中栓１の脱型を円滑に行なうことができる。
【００２４】
以上の構成からなる中栓１は、プルリング１１を引っ張り、開口部１０を開放して、ビン体２を傾けることによって前記注出部１２から内容物を注出することができる。そして、内容物が全て使い切られた使用後のビン体２からは、次の手順で中栓１を取り外す。まず、図２を参照して、前記連結部１８を破断して把持片１７を把持し、該把持片１７を外方に引っ張ることによって第１スコア１５の破断開始部１９を破断する。続いて、第１スコア１５を全長にわたって破断し、更に、図６に示すように、把持片１７を外挿部８の外周回りに引っ張り第２スコア１６を破断する。前述したように、第２スコア１６は、その始端を前記外挿部８の中心からの角度０°としたとき、その終端である１８０°の位置までで破断が終了し、このときには、ビン体２の環状溝１４と突条１３との嵌合が自在に外れる状態で且つ中栓１がビン体２の口部３に装着された状態となる。これにより、把持片１７を把持して第２スコア１６を破断している途中で中栓１が急激に外れて中栓１の内側に付着する内容物が飛散することが防止される。その後、中栓１をビン体２の上方に持ち上げるだけで、該ビン体２の口部３から中栓１が外れ、ビン体２の口部３からの洗浄液等の注入が容易となる。
【００２５】
本発明においてはまた、図７に示すように、外挿部８の外側に拡径部２２を設け、該拡径部２２の一部に把持片１７を収容する把持片収容部２３を設けてもよい。これによって、前記把持片１７への不用意な接触を防止することができ、第１スコア１５の不用意な破断を確実に防止することができる。
【００２６】
また、本実施形態においては、前記オーバーキャップ４を設けて、開口部１０を開放した使用中のビン体２を保管することができるようになっている。この場合に、前記オーバーキャップ４が不透明であると、未開封のビン体２に対する中栓１の改ざんが行われるおそれがある。そこで、本実施形態においては、図１に示すように、オーバーキャップ４とビン体２の胴部５との間にプルファーバンド２４や図示しないシュリンクフイルムによるカバーを施すことによって、中栓１の改ざんを防止することができる。
【図面の簡単な説明】
【図１】本発明の一実施形態の中栓の取り付け状態を示す説明的縦断面図。
【図２】本実施形態の中栓の平面図。
【図３】図２の中栓の側面図。
【図４】図２の中栓の一部の底面図。
【図５】第１スコアに沿って断面視した説明図。
【図６】外挿部の破断状態を示す説明図。
【図７】本発明の他の実施形態の中栓の平面図。
【符号の説明】
１…中栓、２…ビン体、３…口部、６…挿着部、７…上縁当接部、８…外挿部、９…閉塞パネル、１０…開口部、１２…注出部、１３…突条、１４…環状溝、１５…第１スコア、１６…第２スコア、１７…把持片、１８…連結部、１９…破断開始部、２１…平坦部、２２…拡径部、２３…把持片収容部。
【図１】
0004157694.tif 000002
【図２】
0004157694.tif 000003
【図３】
0004157694.tif 000004
【図４】
0004157694.tif 000005
【図５】
0004157694.tif 000006
【図６】
0004157694.tif 000007
【図７】
0004157694.tif 000008